(57)【要約】【課題】掃気用空気供給体に設けた複数の空気通路の間の連結部分間で気化器構成部品に固定するようにした、２サイクル機関の層状掃気機構を得る。【解決手段】２サイクル機関の層状掃気機構として、混合気を供給制御する絞り弁３を有する気化器と、空気弁１１，１２を配した空気通路９，１０とを備える。掃気用空気供給体８に複数の空気通路９，１０を設け、各空気通路には同期して空気通路９，１０を開閉する空気弁１１，１２をそれぞれ配設する。空気弁１１，１２を固持する弁軸１３ａの外端部に空気弁レバー１３を結合し、空気弁レバー１３をリンク１６により絞り弁レバー５と連動連結する。掃気用空気供給体８は空気通路９，１０を互いに連結する連結部分８ａを、気化器構成部品を介して気化器に固定する。リンクの一端を絞り弁レバー５と空気弁レバー１３の内の一方の長孔１５に係合する。【選択図】　　　　　図１
2004144044.tif 000002
【特許請求の範囲】
【請求項１】
混合気を供給制御する絞り弁を有する気化器と、空気弁を配した空気通路とを有する２サイクル機関の層状掃気機構において、掃気用空気供給体に複数の空気通路を設け、各空気通路には同期して空気通路を開閉する空気弁をそれぞれ配設し、該空気弁を固持する弁軸の外端部に空気弁レバーを結合し、該空気弁レバーをリンクにより絞り弁レバーと連動連結し、掃気用空気供給体は空気通路を互いに連結する部分を、気化器構成部品を介して気化器に固定したことを特徴とする、２サイクル機関の層状掃気機構。
【請求項２】
前記リンクの一端は空気弁レバーと絞り弁レバーの一方に設けた長孔に係合され、絞り弁の開度が所定値以上の動作領域で空気弁を絞り弁と連動させる、請求項１に記載の２サイクル内燃機関の層状掃気機構。
【発明の詳細な説明】
【０００１】
【発明の属する技術分野】
本発明は２サイクル機関の層状掃気機構、特に空気通路を複数として掃気用空気量を増すとともに、掃気用空気供給体の組付性を良好にした、２サイクル機関の層状掃気機構に関するものである。
【０００２】
【従来の技術】
従来、特開２０００−３１４３５０号などに開示されるように、２サイクル機関の層状掃気機構は掃気時の燃料の吹抜けを防止するために、混合気通路とは別に空気通路を設け、掃気初期に空気層をもつて掃気し、その後に混合気層をもつて掃気するとともに、クランク室へ吸気する層状掃気機構が知られている。
【０００３】
本出願人は特願２００２−１９４９８６号により、従来の気化器に簡単に取り付けられる掃気用空気供給体を備えた２サイクル機関の層状掃気機構を出願している。しかし、上述の２サイクル機関の層状掃気機構では、多量の掃気用空気を必要とする場合には空気通路の断面積を広くする必要があつたが、単一の空気通路で通路内径を大きくすると、気化器の吸気道の中心と空気通路の中心との間隔Ｌが大きくなり、型が大きくなるばかりか機関への装着のためのレイアウトが難しくなるという問題がある。
【０００４】
【発明が解決しようとする課題】
本発明の課題は掃気用空気の供給量を大とするために、掃気用空気供給体に複数の空気通路を設け、空気通路の間の連結部分間で気化器構成部品に固定するようにした、２サイクル機関の層状掃気機構を提供することにある。
【０００５】
【課題を解決するための手段】
上記課題を解決するために、本発明の構成は混合気を供給制御する絞り弁を有する気化器と、空気弁を配した空気通路とを有する２サイクル機関の層状掃気機構において、掃気用空気供給体に複数の空気通路を設け、各空気通路には同期して空気通路を開閉する空気弁をそれぞれ配設し、該空気弁を固持する弁軸の外端部に空気弁レバーを結合し、該空気弁レバーをリンクにより絞り弁レバーと連動連結し、掃気用空気供給体は空気通路を互いに連結する間の部分で、気化器構成部品を介して気化器に固定したことを特徴とする。
【０００６】
【発明の実施の形態】
本発明では掃気用空気供給体に複数の空気通路を設け、各空気通路には同期して空気通路を開閉する空気弁をそれぞれ配設する。空気弁を固持する弁軸の外端部に結合した空気弁レバーをリンクにより絞り弁レバーと連動連結し、掃気用空気量を増加する。掃気用空気供給体は空気通路を互いに連結する部分間で、気化器構成部品を介して気化器本体に固定し、掃気用空気供給体の組付性を良好にする。
【０００７】
気化器の絞り弁レバーと掃気用空気供給体の空気弁レバーとをリンクにより連動連結し、一方のレバーとリンクとの連結部に長孔を設けて、絞り弁レバーのアイドル位置から開方向への回動に対して、空気弁レバーが遅れて回動するようにする。
【０００８】
【実施例】
図１に示すように、層状掃気機構を備えた気化器は気化器本体１を前後方向に貫通する吸気道２の出口側に、蝶型の絞り弁３を傾斜した弁軸４により支持され、必要により吸気道２の入口側に蝶型のチヨーク弁（図示せず）を弁軸によりそれぞれ支持してなる。弁軸４の外端部に戻しばねが巻装されかつ半円板状の絞り弁レバー５が結合される。絞り弁３は戻しばねの力により、図示のアイドル位置へ回転付勢される。この時、絞り弁レバー５は気化器本体１の側壁部に螺合支持したアイドル停止ボルト７の円錐面に当接される。アイドル停止ボルト７を緩めるか締め付けることにより、絞り弁レバー５のアイドル位置（絞り弁３のアイドル開度）は加減される。気化器本体１の側壁部には、低速燃料調整針弁２８と高速燃料調整針弁２９が備えられる。気化器本体１の上端面には、膜２２を挟んで板状のポンプカバー１８をボルト１７により結合して、燃料ポンプ２０が構成される。
【０００９】
本発明によれば、２サイクル機関のピストン下降過程で、混合気に先んじて燃焼ガスを排気口へ送り出すための空気を掃気口へ導く掃気用空気供給体８がポンプカバー１８に取り付けられる。掃気用空気供給体８は複数の、図示例では左右１対の筒体９ａ，１０ａを合成樹脂、アルミニウム合金などから一体に成形される。
【００１０】
筒体９ａ，１０ａには空気通路９，１０を横切る弁軸１３ａにより蝶型の空気弁１１，１２が支持され、弁軸１３ａの外端に戻しばね１４が巻装されるとともに、空気弁レバー１３が結合される。戻しばね１４の一端は壁部に、戻しばね１４の他端は空気弁レバー１３にそれぞれ係止され、空気弁１１，１２は戻しばね１４の力により閉位置へ回転付勢される。空気弁レバー１３には長孔１５が設けられる。
【００１１】
空気弁レバー１３と絞り弁レバー５とはリンク１６により連動連結される。すなわち、リンク１６の一端は絞り弁レバー５に周方向に並設した複数の孔６の１つに、遊びのないように連結され、リンク１６の他端は空気弁レバー１３の長孔１５に外れないようかつ遊動可能に連結される。絞り弁３と空気弁１１，１２とは予め定められた開度条件を満足するように長孔１５の長さが決められる。すなわち、絞り弁３がアイドル位置にある時、リンク１６の端部は長孔１５の上端縁部に係合し、絞り弁レバー５により絞り弁３を開方向へ回動する時、絞り弁３の開度が所定値を超えると、戻しばね１４の力に抗してリンク１６の端部の折曲げ片が長孔１５の下端縁部に当接し、絞り弁３の開度に応じて空気弁１１，１２の開度も増加する。空気弁レバー１３の代りに絞り弁レバー５の端部に長孔１５を設け、リンク１６との間に遊びを設けてもよい。
【００１２】
図示の掃気用空気供給体８は連結部分８ａが筒体９ａ，１０ａを連結するだけの板厚のものであり、連結部分８ａの下端部には底板８ｂが一体に形成され、ポンプカバー１８に重ね合され、単一のボルト１７により気化器本体１に締結される。筒体９ａ，１０ａには合成樹脂管などからなる接続部を有する空気管が外嵌結合され、この空気管は機関の掃気ポートへ連通される。筒体９ａ，１０ａの上流は空気清浄器へ接続される。図示の気化器本体１の後面には空気清浄器が、気化器本体１の前面には断熱管（インシユレイタ）がそれぞれ突き合わされ、左右１対の通孔２４を貫通する通しボルトにより機関の吸気ポートを囲む壁部へ結合される。
【００１３】
本発明では掃気用空気供給体８が気化器本体１と一体的に構成され、かつ掃気用空気供給体８と機関の掃気ポートとの間に、前述の断熱管とは長さが異なる空気管を接続するものであるから、まず空気清浄器と気化器本体１と断熱管とを突き合せて機関の吸気ポートに固定した後、掃気用空気供給体８と機関の掃気ポートの間に空気管を接合すれば、取付作業が容易であり、特に可撓性の空気管を用いれば、吸気ポートと掃気ポートの上下間隔が、吸気道２と筒体９，１０の上下間隔Ｌと多少異なるものであつても、取付作業が容易になる。
【００１４】
【発明の効果】
本発明は上述のように、多量の掃気用空気を必要とする場合にも、複数の空気通路を設けることにより各空気通路を小径とすることができるので、気化器の吸気道の中心と空気通路の中心との間隔Ｌが小となり、小型にすることができるとともに、気化器の機関への装着時は空気通路の間の空間でねじ装着することが可能となり、装着性がよいものである。
【００１５】
掃気用空気供給体を気化器部品に装着するにあたつては、両空気通路の間の連結部分をポンプカバーなどの気化器構成部品に締結すればよく、単一の空気通路の場合は空気通路を避けて締め付けねばならないのに比して、小型にすることができ、さらに締結個所を少くできる。
【００１６】
通常の機関には複数の掃気ポートがあるのが一般的であり、複数の掃気ポートへ単一の空気通路から掃気用空気を供給する場合は、掃気用空気を分配するために掃気用空気通路が複雑になるのに対して、掃気用空気を複数の空気通路から掃気ポートへ供給すれば、機関の掃気通路は簡略化できるばかりでなく、掃気用空気の吸気抵抗を小さくできるものである。
【図面の簡単な説明】
【図１】本発明に係る２サイクル機関の層状掃気機構の斜視図である。
【符号の説明】
１：気化器本体　３：絞り弁　５：絞り弁レバー　８ａ：連結部分　８：掃気用空気供給体　９：空気通路　１０：空気通路　１１：空気弁　１２：空気弁　１３：空気弁レバー　１４：戻しばね　１５：長孔　１６：リンク　１７：ボルト
１８：ポンプカバー
【図１】
2004144044.tif 000003